(57)【特許請求の範囲】
【請求項１】
シリンダと、該シリンダの両端に設けた側板と、前記シリンダ内を気体室と液体室とに仕切るピストンと、を設けたピストン形アキュムレータにおいて、
前記気体室側の側板の内側に、錘部を有する排液管が回動可能に支持されていることを特徴とするピストン形アキュムレータ。
【請求項２】
前記排液管は、基体を貫通する貫通路を備え、該基体が錘部を形成していることを特徴とする請求項１記載のピストン形アキュムレータ。
【請求項３】
前記排液管は、可撓性チューブにより形成され、該チューブの上端側が前記気体室の側板の内側に固定され、その下端側に錘部が形成されていることを特徴とする請求項１記載のピストン形アキュムレータ。
【請求項４】
前記排液管は、前記側板に螺着される取付ボルト部と、排液管部とを備えており、前記取付ボルト部は、Ｌ字状の通孔を備えており、前記排液管部は、基体を貫通する貫通路と、該基体の上端側に設けられた遊嵌合穴と、該遊嵌合穴の内周面に設けられ、前記Ｌ字状の通孔と連通する環状溝と、を備えていることを特徴とする請求項１記載のピストン形アキュムレータ。
【請求項５】
前記排液管部の基体の自由端は、隙間を介して前記気体室の下側内面と対向していることを特徴とする請求項４記載のピストン形アキュムレータ。
【発明の詳細な説明】
【技術分野】
【０００１】
この発明は、ショックアブソーバ、衝撃緩和、脈動吸収、等に用いられるピストン形アキュムレータに関するものである。
【背景技術】
【０００２】
従来のピストン形アキュムレータは、シリンダと、該シリンダの両端に設けた側板と、前記シリンダ内を気体室と液体室とに仕切るピストンと、を備え、前記液体室の液圧の変化によりピストンを摺動させて気体室内の気体の圧縮・膨張を行わせている（例えば、特許文献１、参照）。
【０００３】
ピストン形アキュムレータは、設置の際、横置（中心軸が水平方向になるように配置）、縦置(中心軸が垂直方向になるように配置）等の制約が無く使用することができる、というメリットがある。
【発明の概要】
【発明が解決しようとする課題】
【０００４】
従来例では、ピストンの往復運動の繰り返しにより、少しずつ液体室の流体が気体室側に入り込むとともに、気体室の気体が流体室に逃げてしまう、という欠点がある。又、長時間使用し続けると、気体室に入り込んだ流体容積が増加し、実質的に気体容積を減少させるために、気体は、初期封入圧よりも低下するので、ピストン形アキュムレータの性能が低下する。そのため、定期的に気体室に溜まった流体を取り除く作業が必要となる。
【０００５】
縦置の場合には、ピストンに排油用チューブを付けて排油させる方法が有るので、ピストン形アキュムレータを分解せずに、気体室に溜まった流体を抜き出すことができる。しかし、横置では、ピストン形アキュムレータを分解せずに、気体室に溜まった流体を抜き出す方法は無い。そのため、前記流体を気体室から排出させるために、多くの作業時間が必要となる。
【０００６】
この発明は、上記事情に鑑み、簡単に気体室の流体を排出できる様にすることを目的とする。
【課題を解決するための手段】
【０００７】
この発明は、シリンダと、該シリンダの両端に設けた側板と、前記シリンダ内を気体室と液体室とに仕切るピストンと、を設けたピストン形アキュムレータにおいて、前記気体室側の側板の内側に、錘部を有する排液管が回動可能に支持されていることを特徴とする。
【０００８】
この発明の前記排液管は、基体を貫通する貫通路を備え、該基体が錘部を形成していることを特徴とする。この発明の前記排液管は、可撓性チューブにより形成され、該チューブの上端側が前記気体室の側板の内側に固定され、その下端側に錘部が形成されていることを特徴とする。
【０００９】
この発明の前記排液管は、前記側板に螺着される取付ボルト部と排液管部とを備えており、前記取付ボルト部は、Ｌ字状の通孔を備えており、前記排液管部は、基体を貫通する貫通路と、該基体の上端側に設けられた遊嵌合穴と、該遊嵌合穴の内周面に設けられ、前記Ｌ字状の通孔と連通する環状溝と、を備えていることを特徴とする。この発明の前記排液管部の基体の自由端は、隙間を介して前記気体室の下側内面と対向していることを特徴とする。
【発明の効果】
【００１０】
この発明は、以上のように構成したので、排液管の入口は、常時、気体室の下部内面と対向する。そのため、気体室に液体室の液体が入り込んで溜まると、該液体は、気体室の圧力に押されて前記排液管内に入り器外に排出することができる。従って、簡単に、気体室内の液体を排出することができるので、従来例に比べ、メンテナンスに要する時間を短くすることができる。
【図面の簡単な説明】
【００１１】
【図１】本発明の第１実施形態を示す縦断面図である。
【図２】錘式排液管の一部拡大正面図である。
【図３】本発明の第２実施形態を示す縦断面図である。
【図４】本発明の第３実施形態を示す縦断面図である。
【図５】錘式排液管の正面図である。
【発明を実施するための形態】
【００１２】
この発明の第１実施形態を図１、図２により説明する。ピストン形アキュムレータ１は、シリンダ３と、該シリンダ３の両端に設けられた側板５，６と、前記シリンダ３内を気体室８と液体室１０とに仕切るピストン１２と、を備えている。
【００１３】
前記液体室１０側の側板６には、液体室１０と連通する液体出入口１４が設けられている。前記気体室８側の側板５には、給気弁を備えた給排気路１６と、メンテナンスバルブ１８を備えた中央流体路２０が、それぞれ貫通して設けられている。
【００１４】
前記側板５の内側には、錘式排液管２２が回動可能に支持されている。この錘式排液管２２は、取付ボルト部２４と排液管部２６とを備えている。前記取付ボルト部２４は、Ｌ字状の通孔２４ａを有する軸部２４ｂと円板状の鍔部２４ｃとを備え、前記軸部２４ｂは前記側板５の内面中央部に螺着されている。前記通孔２４ａは側板５中央を貫通する連通孔２０に連通している。
【００１５】
前記排液管部２６は、貫通路２６ａが穿設されている方形状又は円柱状の基体２６ｂと、該基体２６ｂの基端２６ｃ側（上端側）に設けられ、前記取付ボルト２４の軸部２４ｂが挿着される遊嵌合穴２６ｄと、該遊嵌合穴２６ｃの内周面に形成され、前記Ｌ字状の通孔２４ａの入口に連続する環状溝２６ｅと、を備えている。前記基体２６ｂの自由端２６ｆは、円弧状に形成され、シリンダ３の内周面３ａに沿って湾曲しているが、該自由端２６ｆと前記シリンダ３の下側内周面３ａとの間には、回動及び液体吸引用の隙間Ｗが設けられている。この隙間Ｗは、必要に応じて適宜選択される。前記排液管部２６の基体２６ｂは、それ自体重量があるので、錘の機能を有している。
【００１６】
次に、この実施形態の作動について説明する。
設置時：
ピストン形アキュムレータ１を横置、即ち、軸心を水平方向に配設すると、排液管部２６の基体２６ｂの上端部は、取付ボルト部２４の遊嵌合穴２６ｄに遊嵌合されているので、自重（錘）により基端部２６ｃを中心にして回転する。そのため、排液管部２６は、垂直状となり、その貫通路２６ａの入口は、隙間Ｗを介して前記シリンダ３の内周面３ａの下側に対向する。この様に、錘の作用により排液管部の貫通路２６ａを自動的に下向きに維持することができる。
【００１７】
メンテナンス時：
前記アキュムータの稼動により、液体室１０の液体Ｒが気体室８に進入して溜まったとき、メンテナンスバルブ１８を開にする。そうすると、気体室８内の圧力により押圧されている前記液体Ｒは、順次、排液管部２６の貫通路２６ａ、環状溝２６ｅ、通孔２４ａ、中央流体路２０、を通って器外に排出される。そして、気体室８内の液体Ｒが無くなったら、メンテナンスバルブ１８を閉じる。この様に、メンテナンスバルブ１８を開閉するだけで、簡単に気体室８内の液体Ｒの排除することができる。
【００１８】
この発明の第２実施形態を図３により説明するが、図１、図２と同一図面符号は、その名称も機能も同一である。この実施形態と第１実施形態との相違点は、第１実施形態では、側板５に給排気路と中央流体路とを設けたが、この実施形態では、中央流体路を省略し、給排気路１６を前記中央流体路と兼用していることである。
【００１９】
この発明の第３実施形態を図４、図５により説明するが、図１、図２と同一図面符号は、その名称も機能も同一である。この実施形態と第１実施形態との相違点は、第１実施形態では、長方形状又は円柱状の基体を用いたが、この実施形態では、前記基体２６ｂの自由端部２６ｆを円環状の補助部材３０に連結したことである。この補助部材３０の外周面は、前記自由端２６ｆの外周面と同一円周上に位置し、隙間Ｗを介して前記シリンダ３の内周面３ａと対向している。
【００２０】
この発明の実施形態は、上記に限定されるものではなく、例えば、次の様にしてもよい。
（１）排液管の上端側を、回動自在に前記気体室の側板の内側中央部に固定し、その下端側に錘部を形成する。即ち、排液管と錘部を別体に形成する。
【００２１】
（２）排液管を可撓性チューブにより形成し、該チューブの上端側を前記気体室の側板の内側中央部に固定し、その下端側に錘部を形成する。この実施形態では、可撓性チューブは金属製等の硬管とは異なり、自由に変位できるので、錘部により前記チューブの入口を常にシリンダの内周面下部に位置させることができる。
【符号の説明】
【００２２】
１      ピストン形アキュムレータ
３      シリンダ
５      側板
６      側板
８      気体室
１０    液体室
１２    ピストン
２２    錘式排液管  
２４    取付ボルト
２６    排液管部
【図１】
0005885491.tif 000002
【図２】
0005885491.tif 000003
【図３】
0005885491.tif 000004
【図４】
0005885491.tif 000005
【図５】
0005885491.tif 000006